(57)【要約】【課題】従来と比べて一段と容易にハンドセットを利用できるようにする。【解決手段】現金自動預払機１の筐体２の前側に位置する上方に向けられた前面中央部２ｃにハンドセット載置台１０を設け、さらにこのハンドセット載置台１０に、筐体２の左側面２ｄに沿って設けられ、ハンドセット１１が嵌め込まれる載置ガイド窪み４０と、この載置ガイド窪み４０の左側（つまり左側面２ｄ側）に設けられ、載置ガイド窪み４０から筐体２の左側面２ｄまで達する手掛けガイド窪み４１とを設けるようにした。【選択図】図４
2020086533.tif 000002
【特許請求の範囲】
【請求項１】
筐体と、
前記筐体の正面側に設けられ、上方に向けられた一面と、
前記一面に設けられた、ハンドセットを載置するためのハンドセット載置台と
を備え、
前記ハンドセット載置台は、
前記筐体の一側面に沿って設けられ、前記ハンドセットが嵌め込まれる第一の窪みと、前記第一の窪みにおける前記筐体の一側面側に設けられ、前記第一の窪みから前記筐体の一側面まで達する第二の窪みとを有する
ことを特徴とする自動取引装置。
【請求項２】
前記ハンドセットは、
細長い形状であり、長手方向の一端側に位置する耳元部と、長手方向の他端側に位置する口元部と、前記耳元部と前記口元部との間に設けられ、利用者に把持される把持部とで構成され、
前記第一の窪みは、
前記ハンドセットの形状に沿った形状であり、前記ハンドセットの耳元部に対応する耳元部窪みと、前記ハンドセットの口元部に対応する口元部窪みと、前記ハンドセットの把持部に対応する把持部窪みとで構成される
ことを特徴とする請求項１に記載の自動取引装置。
【請求項３】
前記第二の窪みは、
前記把持部窪みにおける前記筐体の一側面側に設けられ、前記把持部窪みから前記筐体の一側面まで達する
ことを特徴とする請求項２に記載の自動取引装置。
【請求項４】
前記第一の窪みに前記ハンドセットが嵌め込まれた際に、前記把持部窪みの底面と、前記ハンドセットの前記把持部との間に隙間が形成され、当該隙間が、前記第二の窪みにより露出する
ことを特徴とする請求項３に記載の自動取引装置。
【請求項５】
前記第二の窪みは、
前記把持部窪みの底面と前記筐体の一側面とを繋ぐ底面を有し、当該底面が、前記把持部窪みの底面から前記筐体の一側面に向かって傾斜している
ことを特徴とする請求項３又は４に記載の自動取引装置。
【請求項６】
前記把持部窪みの底面は、前記第二の窪みの底面側とは反対側から、前記第二の窪みの底面側に向かって傾斜している
ことを特徴とする請求項５に記載の自動取引装置。
【請求項７】
前記筐体の一側面に、前記第二の窪みの位置を示す突起部を設けた
ことを特徴とする請求項１〜６のいずれかに記載の自動取引装置。
【請求項８】
前記ハンドセット載置台は、
前記第一の窪みにおける前記筐体の一側面側とは反対側に設けられた第三の窪みをさらに有する
ことを特徴とする請求項１〜７のいずれかに記載の自動取引装置。
【発明の詳細な説明】
【技術分野】
【０００１】
本発明は自動取引装置に関するものであり、例えば現金自動預払機（ＡＴＭ：Automatic Teller Machine）に適用して好適なものである。
【背景技術】
【０００２】
金融機関などで利用される現金自動預払機は、利用者による操作に基づき、利用者に硬貨や紙幣などの現金を入金させたり、利用者に現金を出金したりするようになっている。従来、このような現金自動預払機として、筐体の正面側（つまり顧客と対峙する側）に設けられた略水平な一面に、ハンドセット（受話器）を載置するためのハンドセット載置台を有するものがある（例えば特許文献１参照）。
【０００３】
ハンドセット載置台には、例えば、ハンドセットの形状に沿って前後方向に長い窪み（これを載置ガイド窪みと呼ぶ）が設けられ、利用者は、この載置ガイド窪みにハンドセットを嵌め込むようにして載置するようになっていた。またこのようなハンドセット載置台として、載置ガイド窪みの左右両側に指が入る程度の窪み（これを手掛けガイド窪みと呼ぶ）を設け、利用者がこの手掛けガイド窪みに指を入れてハンドセットを把持することで、載置ガイド窪みからハンドセットを取り出し易くしたものもある。
【先行技術文献】
【特許文献】
【０００４】
【特許文献１】特開２０１４−７８２０４号公報
【発明の概要】
【発明が解決しようとする課題】
【０００５】
しかしながら、従来の現金自動預払機では、筐体の正面側に設けられた略水平な一面に、ハンドセット載置台だけでなく、硬貨の入出金口や、紙幣の入出金口、操作表示部なども設けられていて凹凸が多いことから、例えば視覚障害者が、ハンドセット載置台に載置されているハンドセットを手探りで見付けることが難しく、結果として、ハンドセットを容易に利用できない場合があるという問題を有していた。
【０００６】
本発明は以上の点を考慮してなされたもので、従来と比べて一段と容易にハンドセットを利用できるようにした自動取引装置を提案しようとするものである。
【課題を解決するための手段】
【０００７】
かかる課題を解決するため本発明においては、筐体と、前記筐体の正面側に設けられ、上方に向けられた一面と、前記一面に設けられた、ハンドセットを載置するためのハンドセット載置台とを備え、前記ハンドセット載置台は、前記筐体の一側面に沿って設けられ、前記ハンドセットが嵌め込まれる第一の窪みと、前記第一の窪みにおける前記筐体の一側面側に設けられ、前記第一の窪みから前記筐体の一側面まで達する第二の窪みとを有するようにした。
【０００８】
このように、第一の窪みにおける筐体の一側面側に設けられた第二の窪みが、第一の窪みから筐体の一側面まで達するようにしたことにより、利用者が視覚障害者であっても、筐体の一側面を触って容易に第二の窪みを探し出すことができ、さらにこの第二の窪みと繋がっている第一の窪みに嵌め込まれているハンドセットを容易に見付けることができる。
【発明の効果】
【０００９】
本発明によれば、従来と比べて一段と容易にハンドセットを利用できるようにした自動取引装置を実現できる。
【図面の簡単な説明】
【００１０】
【図１】実施の形態による現金自動預払機の外観構成を示す斜視図である。
【図２】実施の形態による現金自動預払機の外観構成を示す上面図及び正面図である。
【図３】実施の形態によるハンドセットの外観構成を示す斜視図である。
【図４】実施の形態によるハンドセット載置台の外観構成を示す斜視図である。
【図５】実施の形態によるハンドセット載置台の外観構成を示す上面図である。
【図６】実施の形態によるハンドセット載置台の外観構成を示す側面図である。
【図７】実施の形態によるハンドセット載置台の断面を示す断面図である。
【図８】実施の形態によるハンドセット載置台の手掛けガイド窪みを手探りで探す様子を示す斜視図である。
【図９】他の実施の形態による筐体の左側面に設けられた突起部を示す斜視図である。
【図１０】他の実施の形態によるハンドセット載置台の断面を示す断面図である。
【図１１】他の実施の形態によるハンドセット載置台の載置ガイド窪みに設けられた防壁部を示す上面図及び断面図である。
【図１２】他の実施の形態によるハンドセット載置台の外観構成を示す上面図である。
【発明を実施するための形態】
【００１１】
以下、発明を実施するための形態（以下実施の形態とする）について、図面を用いて説明する。
【００１２】
［１．現金自動預払機の外観構成］
まず、図１、図２（Ａ）、（Ｂ）を用いて、現金自動預払機（ＡＴＭ）１の外観構成について説明する。図１は、現金自動預払機１の外観斜視図であり、図２（Ａ）は、現金自動預払機１の一部分を上から見た上面図であり、図２（Ｂ）は、現金自動預払機１の正面図である。尚、ここでは、利用者と対峙する正面側を現金自動預払機１の前側、その反対側を現金自動預払機１の後側、現金自動預払機１の前側に対峙する利用者から見て上側、下側、左側、右側を、それぞれ現金自動預払機１の上側、下側、左側、右側と定義する。
【００１３】
現金自動預払機１は、例えば金融機関などに設置され、利用者との間で入金取引や出金取引などの現金に関する取引を行う装置である。現金自動預払機１は、略箱型の筐体２を有している。この筐体２は、前面上部２ａが前面下部２ｂより後方に引っ込んだ形状であり、設置される床面に対してほぼ垂直な前面上部２ａ及び前面下部２ｂと、これら前面上部２ａと前面下部２ｂとの間に位置していて上方に向けられた前面中央部２ｃと、左側面２ｄ及び右側面２ｅ、上面２ｆ、後面２ｇ及び底面２ｈとで構成されている。尚、前面中央部２ｃは、前方に向かってわずかに下る傾斜面となっている。
【００１４】
前面上部２ａ及び前面中央部２ｃは、応対部３となっていて、前面上部２ａには、カード入出口４、通帳入出口５及び本体スピーカ６が設けられ、一方、前面中央部２ｃには、紙幣入出金口７、硬貨入出金口８、操作表示部９及びハンドセット載置台１０が設けられている。
【００１５】
カード入出口４は、前面上部２ａの右側下部に設けられ、キャッシュカードなどの各種カードが挿入又は排出される部分である。通帳入出口５は、前面上部２ａの左側下部に設けられ、通帳が挿入又は排出される部分である。本体スピーカ６は、前面上部２ａの右側上部と左側上部とに設けられ、現金自動預払機１に対する操作を案内する音声ガイダンスなどを出力する部分である。
【００１６】
紙幣入出金口７は、前面中央部２ｃの右側奥に設けられ、利用者が入金する紙幣が投入されるとともに、利用者へ出金する紙幣が排出される部分であり、図示しないシャッタにより開放又は閉塞するようになっている。硬貨入出金口８は、前面中央部２ｃの左側奥に設けられ、利用者が入金する硬貨紙幣が投入されるとともに、利用者へ出金する紙幣が排出される部分であり、紙幣入出金口７と同様、図示しないシャッタにより開放又は閉塞するようになっている。
【００１７】
操作表示部９は、紙幣入出金口７及び硬貨入出金口８の手前側に設けられ、操作画面を表示するディスプレイと、操作画面に対するタッチ操作を検知するタッチセンサとが一体化されたタッチパネルディスプレイである。ハンドセット載置台１０は、操作表示部９の左側（前面中央部２ｃの左隅）に設けられ、ハンドセット１１が載置されている。ハンドセット１１は、図示しないケーブルを介して筐体２内部に設けられた図示しない回路部と接続されていて、本体スピーカ６と同様、現金自動預払機１に対する操作を案内する音声ガイダンスなどを出力するようになっている。つまり、利用者は、ハンドセット載置台１０に載置されているハンドセット１１を持ち上げて自分の耳に当てることで、ハンドセット１１から出力される音声ガイダンスなどを聞くようになっている。現金自動預払機１の外観構成は、以上のようになっている。
【００１８】
［２．ハンドセットの外観構成］
次に、図３を用いてハンドセット１１の外観構成について説明する。ハンドセット１１は、一般的な受話器と同様の外観構成を有している。すなわち、ハンドセット１１は、全体として細長い形状（長方形板状）であり、長手方向の一端側に位置していて使用時に利用者の耳元に位置する部分である耳元部２２と、長手方向の他端側に位置していて使用時に利用者の口元に位置する部分である口元部２３と、耳元部２２と口元部２３とを繋いでいて利用者に把持される部分である把持部２４とで構成されている。尚、ここでは、使用時に利用者の顔と対向する側（ハンドセット載置台１０に載置されたときに隠れる側）をハンドセット１１の正面１１ａ側、その反対側をハンドセット１１の背面１１ｂ側と定義する。またハンドセット１１の正面１１ａと背面１１ｂとの距離をハンドセット１１の厚さと定義する。
【００１９】
耳元部２２は、内部に図示しないスピーカが組み込まれていて、このスピーカから耳元部２２の正面１１ａ側に向けて音声ガイダンスなどを出力するようになっている。口元部２３は、正面１１ａ側にケーブル接続部２５が設けられていて、このケーブル接続部２５に、筐体２内部の回路部と接続されているケーブル２６が接続されている。耳元部２２のスピーカは、ハンドセット１１の内部で、このケーブル２６と電気的に接続されている。またケーブル接続部２５は、その根本部分が、ハンドセット１１の短手方向に延びる図示しない回転軸を中心に回転可能となっている。このようにケーブル接続部２５が回転可能になっていることにより、ハンドセット１１は、取り回し易くなっている。
【００２０】
把持部２４は、利用者が把持し易いよう、正面１１ａ側において、耳元部２２及び口元部２３に対して凹んだ形状となっている。つまり、ハンドセット１１の正面１１ａ側は、把持部２４が凹み、耳元部２２及び口元部２３が突出した形状となっている。ちなみに、ハンドセット１１は、一例として、口元部２３より耳元部２２の方が突出量が大きくなっている。
【００２１】
またハンドセット１１の背面１１ｂには、耳元部２２に組み込まれているスピーカの音量を切り替えるための音量切替スイッチ２７が設けられている。尚、本実施の形態では、ハンドセット１１の把持部２４が、ハンドセット１１の長手方向の中心部より耳元部２２側に位置しているが、これは一例であり、ハンドセット１１の重心などに応じて、把持部２４の位置を変えてもよい。つまり、把持部２４は、ハンドセット１１を最も安定して把持できる位置に設けられていればよい。ハンドセット１１の外観構成は、以上のようになっている。
【００２２】
［３．ハンドセット載置台の外観構成］
次に、図４（Ａ）、（Ｂ）、図５（Ａ）、（Ｂ）、図６を用いて、ハンドセット載置台１０の外観構成について説明する。尚、図４（Ａ）、（Ｂ）は、ハンドセット載置台１０の外観斜視図であり、図５（Ａ）、（Ｂ）は、ハンドセット載置台１０を上から見た上面図であり、図６は、ハンドセット載置台１０を左側から見た左側面図である。また図４（Ａ）、図５（Ａ）は、ハンドセット１１が載置されていない状態のハンドセット載置台１０を示し、図４（Ｂ）、図５（Ｂ）は、ハンドセット１１が載置されている状態のハンドセット載置台１０を示し、図６は、ハンドセット１１が載置されている状態のハンドセット載置台１０を示している。
【００２３】
ハンドセット載置台１０は、筐体２の前面中央部２ｃにおける、操作表示部９の左側（つまり操作表示部９と筐体２の左側面２ｄとの間のスペース）に設けられている。尚、図６に示すように、筐体２の前面中央部２ｃは、前方に向かってわずかに下る傾斜面となっていることから、ハンドセット載置台１０も、わずかではあるがこの前面中央部２ｃに沿って傾斜している。
【００２４】
このハンドセット載置台１０には、筐体２の左側面２ｄに沿って設けられ、ハンドセット１１が嵌め込まれる前後方向に細長い形状の載置ガイド窪み４０と、この載置ガイド窪み４０の前後方向の中央部分の左側（つまり筐体２の左側面２ｄ側）に設けられ、載置ガイド窪み４０から筐体２の左側面２ｄまで達する手掛けガイド窪み４１とが設けられている。尚、これら載置ガイド窪み４０及び手掛けガイド窪み４１についても、全体的に前面中央部２ｃに沿って傾斜している。
【００２５】
載置ガイド窪み４０は、ハンドセット１１をハンドセット載置台１０に載置するときのガイドとなる窪みであり、ハンドセット１１の形状に沿った形状を有していて、ハンドセット１１の耳元部２２、口元部２３及び把持部２４のそれぞれに対応する耳元部窪み４２、口元部窪み４３及び把持部窪み４４が、前後方向に連続して設けられた構成となっている。
【００２６】
具体的に載置ガイド窪み４０は、後側に耳元部窪み４２、前側に口元部窪み４３、耳元部窪み４２と口元部窪み４３との間に把持部窪み４４が位置している。よって、利用者は、ハンドセット１１を、耳元部２２が後側、口元部２３が前側となる向きで、載置ガイド窪み４０に嵌め込むことで、ハンドセット１１を、ハンドセット載置台１０に対して正しい向きで載置することができる。
【００２７】
また図６に示すように、この載置ガイド窪み４０は、ハンドセット１１が嵌め込まれたときに、ハンドセット１１の背面１１ｂが、前面中央部２ｃとほぼ平行になるようにして載置ガイド窪み４０からわずかにはみ出すとともに、ハンドセット１１の把持部２４と把持部窪み４４の底面４４ａとの間に人の指が入る程度の隙間Ｇｐが形成されるように、耳元部窪み４２、口元部窪み４３及び把持部窪み４４それぞれの深さが選定されている。具体的に、載置ガイド窪み４０は、図４（Ａ）などに示すように、耳元部窪み４２の底面４２ａが、口元部窪み４３の底面４３ａ及び把持部窪み４４の底面４４ａより深くなっていて、ハンドセット１１が嵌め込まれたときに、ハンドセット１１の耳元部２２の正面１１ａ側が、耳元部窪み４２の底面４２ａに当接するとともに、ハンドセット１１の口元部２３の正面１１ａ側が、口元部窪み４３の底面４３ａに当接し、ハンドセット１１の把持部２４の正面１１ａ側と、把持部窪み４４の底面４４ａとの間に隙間Ｇｐが形成されるようになっている。
【００２８】
さらに図５（Ａ）に示すように、載置ガイド窪み４０は、耳元部窪み４２の底面４２ａにフック４５が設けられている。このフック４５は、ハンドセット１１が載置ガイド窪み４０に嵌め込まれているときにはハンドセット１１の耳元部２２により押し下げられ、載置ガイド窪み４０に嵌め込まれているハンドセット１１が持ち上げられると、図示しないバネなどの付勢部材により押し上げられるようになっている。現金自動預払機１では、このようなフック４５の動きを検知することにより、ハンドセット１１がハンドセット載置台１０に載置されているかどうか（つまりハンドセット１１が利用者によってハンドセット載置台１０から持ち上げられたかどうか）を判別できるようになっている。
【００２９】
さらに載置ガイド窪み４０は、口元部窪み４３の底面４３ａに、ハンドセット１１が載置ガイド窪み４０に嵌め込まれたときにハンドセット１１のケーブル接続部２５を収容するケーブル接続部窪み４６が設けられている。さらにこのケーブル接続部窪み４６の底には、ハンドセット１１のケーブル２６が挿通されるケーブル挿通孔４７が設けられている。ハンドセット１１のケーブル２６は、このケーブル挿通孔４７を通り、筐体２内部の図示しない回路部と接続されている。尚、このケーブル挿通孔４７の奥には、ケーブル２６を巻き取る図示しない巻き取り機構が設けられていて、この巻き取り機構が、ケーブル２６を常に巻き取り方向に引っ張るようになっている。これにより、ハンドセット１１のケーブル２６は、利用者によってハンドセット１１が持ち上げられた際には、必要な分だけケーブル挿通孔４７から引き出され、ハンドセット１１が載置ガイド窪み４０に嵌め込まれた際には、載置ガイド窪み４０からはみ出たりしないように、ケーブル挿通孔４７の奥に巻き取られるようになっている。
【００３０】
一方、手掛けガイド窪み４１は、載置ガイド窪み４０に嵌め込まれているハンドセット１１の把持部２４の位置をガイドする窪みである。この手掛けガイド窪み４１は、図４（Ａ）に示すように、載置ガイド窪み４０の把持部窪み４４と筐体２の左側面２ｄとの間の壁を切り欠くように把持部窪み４４における筐体２の左側面２ｄ側に設けられ、図４（Ｂ）及び図６に示すように、載置ガイド窪み４０に嵌め込まれているハンドセット１１の把持部２４と把持部窪み４４の底面４４ａとの間に形成された隙間Ｇｐを露出させるようになっている。よって、利用者は、手掛けガイド窪み４１から、この隙間Ｇｐに指を入れるようにしてハンドセット１１を把持することで、容易にハンドセット１１の把持部２４を把持することができる。
【００３１】
尚、本実施の形態では、図５（Ｂ）などに示すように、手掛けガイド窪み４１の前後方向の長さ及び位置を、載置ガイド窪み４０に嵌め込まれたハンドセット１１の把持部２４の前後方向の長さ及び位置に合わせるようにしたが、手掛けガイド窪み４１の前後方向の長さについては、ハンドセット１１の把持部２４の前後方向の長さ以上であればよい。
【００３２】
また、図５（Ａ）に示すＡ−Ａ切断線によりハンドセット載置台１０を切断した場合の断面図となる図７（Ａ）に示すように、手掛けガイド窪み４１は、把持部窪み４４の底面４４ａと筐体２の左側面２ｄとを繋ぐ底面４１ａが、把持部窪み４４の底面４４ａから筐体２の左側面２ｄに向かって下る傾斜面（例えば傾斜角度θ１が４５度の傾斜面）となっている。このように、手掛けガイド窪み４１は、底面４１ａが傾斜面となっていることにより、隙間Ｇｐに指を入れ易くして、利用者がハンドセット１１をスムーズに把持できるようになっている。
【００３３】
さらに図４（Ａ）及び図６に示すように、手掛けガイド窪み４１を形成している後側の壁面と前面中央部２ｃとの角部５０と、手掛けガイド窪み４１を形成している前側の壁面と前面中央部２ｃとの角部５１が、丸みを帯びたＲ形状となっている。これにより、ハンドセット載置台１０は、ハンドセット１１のケーブル２６が、角部５０、５１に引っ掛かり難くなっている。
【００３４】
さらに図４（Ｂ）に示すように、ハンドセット載置台１０は、手掛けガイド窪み４１が、載置ガイド窪み４０から筐体２の左側面２ｄまで達していて、且つこの左側面２ｄには手掛けガイド窪み４１以外の凹凸がほぼ無いことから、例えば、図８に示すように、利用者が視覚障害者であっても、筐体２の左側面２ｄを触って容易に手掛けガイド窪み４１を探し出すことができ、さらにこの手掛けガイド窪み４１と繋がっている載置ガイド窪み４０に嵌め込まれているハンドセット１１を容易に見付けることができるようになっている。
【００３５】
［４．まとめと効果］
ここまで説明したように、本実施の形態では、現金自動預払機１の筐体２の前側に位置する上方に向けられた前面中央部２ｃにハンドセット載置台１０を設けた。さらにこのハンドセット載置台１０に、筐体２の左側面２ｄに沿って設けられ、ハンドセット１１が嵌め込まれる載置ガイド窪み４０と、この載置ガイド窪み４０の左側（つまり左側面２ｄ側）に設けられ、載置ガイド窪み４０から筐体２の左側面２ｄまで達する手掛けガイド窪み４１とを設けるようにした。
【００３６】
こうすることで、現金自動預払機１は、利用者が視覚障害者であっても、筐体２の左側面２ｄを触って容易に手掛けガイド窪み４１を探し出すことができ、さらにこの手掛けガイド窪み４１と繋がっている載置ガイド窪み４０に嵌め込まれているハンドセット１１を容易に見付けることができる。かくして、現金自動預払機１は、従来と比べて一段と容易にハンドセット１１を利用できる。また、例えば利用者が車椅子に乗っていて筐体２の前面中央部２ｃを真上から見ることが難しいような場合でも、筐体２の左側面２ｄを触って容易に手掛けガイド窪み４１を探し出すことができ、さらにこの手掛けガイド窪み４１と繋がっている載置ガイド窪み４０に嵌め込まれているハンドセット１１を容易に見付けることができる。
【００３７】
さらに本実施の形態の現金自動預払機１は、ハンドセット載置台１０の手掛けガイド窪み４１が、載置ガイド窪み４０から筐体２の左側面２ｄまで達していることにより、図７（Ｂ）に示すように、載置ガイド窪み４０に入り込んだ紙屑などの異物Ｆｍを、ウエスなどを用いて、手掛けガイド窪み４１から筐体２の左側面２ｄへと容易に押し出すことができる。さらに現金自動預払機１は、把持部窪み４４の底面４４ａと筐体２の左側面２ｄとを繋ぐ手掛けガイド窪み４１の底面４１ａを、把持部窪み４４の底面４４ａから筐体２の左側面２ｄへ向かって下る傾斜面としたことにより、例えば、載置ガイド窪み４０の把持部窪み４４にこぼされた飲み物などの液体が、手掛けガイド窪み４１から筐体２の左側面２ｄへと流れ易くなっている。かくして、現金自動預払機１は、例えばハンドセット載置台１０に載置ガイド窪み４０のみが設けられている場合と比べて、載置ガイド窪み４０の汚れを抑制することができる。
【００３８】
このように、本実施の形態の現金自動預払機１は、従来と比べて一段と容易にハンドセット１１を利用でき、そのうえハンドセット載置台１０を清潔に保つことができる。
【００３９】
さらに本実施の形態の現金自動預払機１は、載置ガイド窪み４０の左側（つまり左側面２ｄ側）にのみ手掛けガイド窪み４１を設けるようにしたことにより、前面中央部２ｃにおける、ハンドセット載置台１０が占めるスペースを最小限に抑えることができる。この結果、例えば、載置ガイド窪み４０の左右両側に手掛けガイド窪み４１を設けるような場合と比べて、前面中央部２ｃにより大きな操作表示部９を設けることなどが可能となる。
【００４０】
［５．他の実施の形態］
［５−１．他の実施の形態１］
尚、上述した実施の形態では、ハンドセット載置台１０に、載置ガイド窪み４０から筐体２の左側面２ｄまで達する手掛けガイド窪み４１を設け、利用者が視覚障害者であっても、筐体２の左側面２ｄを触って容易に手掛けガイド窪み４１を探し出すことができるようにした。ここで、図９に示すように、筐体２の左側面２ｄの所定位置（例えば、手掛けガイド窪み４１の下方）に、手掛けガイド窪み４１の位置を示す突起部１００を設けるようにしてもよい。具体的には、突起部１００として、矢印又は点字などを設けるようにすればよい。このような突起部１００を設ければ、利用者が一段と容易に手探りで手掛けガイド窪み４１を探し出すことができるようになる。
【００４１】
［５−２．他の実施の形態２］
また上述した実施の形態では、図７（Ａ）に示したように、把持部窪み４４の底面４４ａと筐体２の左側面２ｄとを繋ぐ手掛けガイド窪み４１の底面４１ａを、把持部窪み４４の底面４４ａから筐体２の左側面２ｄに向かって下る傾斜面とした。ここで、図１０（Ａ）、（Ｂ）に示すように、手掛けガイド窪み４１の底面４１ａだけでなく、把持部窪み４４の底面４４ａについても、手掛けガイド窪み４１の底面４１ａに向かって（つまり手掛けガイド窪み４１の底面４１ａ側とは反対側となる右端から手掛けガイド窪み４１の底面４１ａ側となる左端に向かって）下る傾斜面としてもよい。この場合、図１０（Ａ）に示すように、把持部窪み４４の底面４４ａの傾斜角度θ２を、手掛けガイド窪み４１の底面４１ａの傾斜角度θ１より小さくしてもよいし、図１０（Ｂ）に示すように、これら傾斜角度θ２、θ１を同一角度にしてもよい。
【００４２】
このように、把持部窪み４４の底面４４ａについても、手掛けガイド窪み４１の底面４１ａに向かって（つまり把持部窪み４４の右端から左端に向かって）下る傾斜面とすれば、載置ガイド窪み４０の把持部窪み４４にこぼされた液体が、手掛けガイド窪み４１から筐体２の左側面２ｄへとより一層流れ出し易くなる。
【００４３】
尚、このように把持部窪み４４の底面４４ａを手掛けガイド窪み４１の底面４１ａに向かって傾斜させた場合も、耳元部窪み４２の底面４２ａ及び口元部窪み４３の底面４３ａについては、前面中央部２ｃとほぼ平行であるとする。ゆえに、この場合も、ハンドセット１１は、載置ガイド窪み４０に嵌め込まれたときに、背面１１ｂが前面中央部２ｃとほぼ平行になる。
【００４４】
［５−３．他の実施の形態３］
さらに上述した実施の形態では、ハンドセット載置台１０に、載置ガイド窪み４０から筐体２の左側面２ｄまで達する手掛けガイド窪み４１を設けることで、載置ガイド窪み４０に入り込んだ異物Ｆｍなどを、手掛けガイド窪み４１から筐体２の左側面２ｄへと排出し易くした。ここで、ハンドセット載置台１０の上面図である図１１（Ａ）に示すＢ−Ｂ切断線によりハンドセット載置台１０を切断した場合の断面図となる図１１（Ｂ）に示すように、耳元部窪み４２と把持部窪み４４との境界部分、及び口元部窪み４３とケーブル接続部窪み４６との境界部分とに、それぞれ、把持部窪み４４の底面４４ａ及び口元部窪み４３の底面４３ａより一段高い防壁部１１０、１１１を設けるようにしてもよい。こうすることで、把持部窪み４４に入り込んだ異物Ｆｍもしくは液体が、耳元部窪み４２やケーブル接続部窪み４６の奥まで入り込んでしまい、手掛けガイド窪み４１から排出できなくなるような状況を極力回避することができる。
【００４５】
尚、口元部窪み４３側の防壁部１１１については、図１１（Ａ）、（Ｂ）よりも、防壁部１１０に近い位置（例えば把持部窪み４４と口元部窪み４３との境界部分）に設けるようにしてもよい。また、防壁部１１０、１１１のうち、高い位置にある防壁部１１０については省略するようにしてもよい。
【００４６】
［５−４．他の実施の形態４］
さらに、上述した実施の形態では、第一の窪みとしての載置ガイド窪み４０の左側（つまり筐体２の左側面２ｄ側）に第二の窪みとしての手掛けガイド窪み４１を設けるようにしたが、これに限らず、図１２に示すように、載置ガイド窪み４０の右側（つまり載置ガイド窪み４０における筐体２の左側面２ｄ側とは反対側）に第三の窪みとしての手掛けガイド窪み１２０を設けるようにしてもよい。尚、右側の手掛けガイド窪み１２０については、載置ガイド窪み４０と操作表示部９との間に位置する窪みとなる。この手掛けガイド窪み１２０の底面１２０ａについては、把持部窪み４４の底面４４ａと同一平面であってもよいし、把持部窪み４４の底面４４ａに向かって（つまり右側の手掛けガイド部のの右端から左端に向かって）下る傾斜面であってもよい。
【００４７】
［５−５．他の実施の形態５］
さらに上述した実施の形態では、筐体２の前側に位置する前面中央部２ｃが、前方に向かってわずかに下るように傾斜しているとしたが、これに限らず、前面中央部２ｃが、筐体２が設置される床面と平行になっていてもよい。つまり、前面中央部２ｃは、上方を向く一面であればよい。
【００４８】
［５−６．他の実施の形態６］
さらに上述した実施の形態では、ハンドセット載置台１０を、前面中央部２ｃの左側に設けたが、これに限らず、ハンドセット載置台１０とは左右対称のハンドセット載置台を前面中央部２ｃの右側に設けるようにしてもよい。
【００４９】
［５−７．他の実施の形態７］
さらに上述した実施の形態では、現金自動預払機１に、音声を出力する機能のみを有するハンドセット１１を設けたが、ハンドセット１１の代わりに、音声を出力する機能にくわえて、音声を入力する機能を有する通話可能なハンドセットを設けるようにしてもよい。この場合、ハンドセット１１の口元部２３にマイクロフォンを内蔵して、このマイクロフォンにより利用者の声を集音するようにすればよい。
【００５０】
［５−８．他の実施の形態８］
さらに、上述した第１の実施の形態では、本発明を、自動取引装置の具体例である現金自動預払機１に適用したが、これに限らず、ハンドセットとハンドセット載置台とを備えるものであれば、現金自動預払機１とは異なる自動取引装置に適用してもよい。例えば、ハンドセットとハンドセット載置台とを備える券売機などに適用してもよい。
【００５１】
［５−９．他の実施の形態９］
さらに、本発明は、上述した各実施の形態に限定されるものではない。すなわち本発明は、上述した実施の形態と他の実施の形態の一部又は全部を任意に組み合わせた実施の形態や、一部を抽出した実施の形態にもその適用範囲が及ぶものである。
【産業上の利用可能性】
【００５２】
本発明は、ハンドセットとハンドセット載置台とを備える様々な自動取引装置で利用できる。
【符号の説明】
【００５３】
１……現金自動預払機、２……筐体、２ｃ……前面中央部、１０……ハンドセット載置台、１１……ハンドセット、２２……耳元部、２３……口元部、２４……把持部、４０……載置ガイド窪み、４１、１２０……手掛けガイド窪み、４２……耳元部窪み、４３……口元部窪み、４４……把持部窪み、１００……突起部、１１０、１１１……防壁部、Ｇｐ……隙間。
【図１】
2020086533.tif 000003
【図２】
2020086533.tif 000004
【図３】
2020086533.tif 000005
【図４】
2020086533.tif 000006
【図５】
2020086533.tif 000007
【図６】
2020086533.tif 000008
【図７】
2020086533.tif 000009
【図８】
2020086533.tif 000010
【図９】
2020086533.tif 000011
【図１０】
2020086533.tif 000012
【図１１】
2020086533.tif 000013
【図１２】
2020086533.tif 000014